(57)【要約】【課題】一枚の金属板の成形にあって水平板部を凹設するだけで、部品点数が増えず特別な製作工程も不要にして取付用水平板部の左右に屋根材を受支承する機能を果たす屋根材受用水平板部７を一体成形でき、屋根材に積雪などの荷重が加わっても確実にこれを受け止め、強度が高く耐久性が向上した屋根となる吊子であって、別部品を用いることなく吊子成形時に水平板部を凹設することで実現できる簡易な構成で製作容易で量産性に優れた画期的な吊子を提供すること。【解決手段】立設板部２に直角に連設する水平板部１の中央部を凹設して凹設部５を設け、この凹設部５の底部を取付用水平板部６とし、この取付用水平板部６より高い左右に屋根材受用水平板部７を形成し、別部品を用いることなく一体成形で左右に屋根材受用水平板部７を形成した吊子。【選択図】図１
2010185255.tif 000002
【特許請求の範囲】
【請求項１】
金属板を折曲形成して水平板部と立設板部とが直角に連設し、この立設板部の上端部に屋根材に係止する係止折曲部を連設した吊子であって、前記水平板部の中央部に凹設部を設けて、この凹設部の底部に取付部に載置固定する取付用水平板部を形成すると共に、この取付用水平板部より高い左右にこの取付用水平板部及び前記立設板部に連設する屋根材受用水平板部を形成し、この取付用水平板部に設けた取付孔に貫通する取付ボルト若しくはこの取付ボルトに螺着するナットの締付固定状態の位置よりも前記屋根材受用水平板部の位置が高く屋根材が荷重を受けたときこれを受支承する高さ位置となるように前記水平板部の中央部に凹設して前記屋根材受用水平板部を一体成形したことを特徴とする吊子。
【請求項２】
母材となる金属板を１.２ｍｍより厚くして、沿設付設する補強具を用いない前記一枚の金属板で形成した構成とし、前記立設板部に前記水平板部を折曲形成する際に、この水平板部の中央部を凹設して前記立設板部に前記取付用水平板部と前記屋根材受用水平板部とを一体成形したことを特徴とする請求項１記載の吊子。
【請求項３】
前記立設板部の上端部を折曲してこの立設板部の上端幅に等しい板状の前記係止折曲部を形成し、この係止折曲部の中間部に、この係止折曲部に係止する前記屋根材の端部を挟持して圧着固定する際挟持変形境界部となる境界用切欠部を設けたことを特徴とする請求項１，２のいずれか１項に記載の吊子。
【発明の詳細な説明】
【技術分野】
【０００１】
本発明は、折版屋根材などの屋根材を固定するための吊子に関するものである。
【背景技術】
【０００２】
例えば折版屋根構造は、タイトフレームの各頂部の取付部に吊子を取り付け、この吊子の上端部の係止折曲部に折版屋根材の端部を係止してタイトフレーム上に固定する構成であるが、一般にこの吊子は、タイトフレームの頂部の取付部（頂部に形成した段差部）に載置してボルト止め固定する水平板部と、これに直角に連設する立設板部と、この立設板部の上端部に折曲形成した板状の係止折曲部を一枚の金属板で形成し、タイトフレームの各頂部の取付部に水平板部を沿設し、この水平板部の取付孔にボルトを挿通しナットを締め付け螺着して吊子を取り付け、この吊子の立設板部の上端部の係止折曲部に折版屋根材の両端部を夫々引っ掛け係止してこれを挟持具で挟持して圧着固定し、タイトフレームを覆うように吊子を介して次々と折版屋根材を連設状態に設置するものである。
【０００３】
この吊子には種々のものがある。例えばこれを補強するために補強リブを設けるものや、補強具（補強板や補強部品）を重合したり沿設したりして複数部材で構成するものもある。
【０００４】
また出願人は、折版屋根材に積雪などの荷重が加わった場合これが変形したり破損したりすることを防止するため、この吊子に沿設付設する補強具に折版屋根材を下方から支持する屋根材受用水平板部を設けた補強具付吊子を開発した（特開２００７−１２０２５０号）。
【０００５】
しかしながら、この改良により部品点数が増加したり、吊子にこのような複雑な構成の補強具を付設しなければならないなど設計によってはコスト高となったり、製作が容易でなく量産性に劣るなどのおそれがあった。
【先行技術文献】
【特許文献】
【０００６】
【特許文献１】特開２００７−１２０２５０号公報
【発明の概要】
【発明が解決しようとする課題】
【０００７】
本発明はこのような問題を解決したもので、金属板の成形にあって水平板部を凹設するだけで、部品点数が増えず特別な製作工程も不要にしてこの金属板の成形による水平板部の凹設部の底部をこれまでの取付用水平板部として形成すると共に、その左右に屋根材受用水平板部を一体成形でき、しかもこの凹設部の深さ設定によって底部の取付用水平板部より一段高い左右位置に確実に屋根材を受支承する機能を果たす屋根材受用水平板部を設けることができ、且つこの取付用水平板部の取付孔に例えば取付ボルトを挿通してナットで締め付け螺着してもこれらが左右の屋根材受用水平板部より上方へ突出せず凹設部がこれの収納部となり、屋根材に積雪などの荷重が加わっても確実にこれを受け止め、強度が高く耐久性が向上した屋根となる吊子であって、別部品を用いることなく吊子成形時に水平板部を凹設することで実現できる簡易な構成で製作容易で量産性に優れた画期的な吊子を提供することを目的としている。
【０００８】
また、補強具を沿設付設することなく強度を上げるため従来の１.２ｍｍ厚の金属板よりやや厚い金属材を母材に用いこれを成形して一枚の金属板で形成すると共に、係止折曲部に係止した屋根材の端部を挟持して屋根材を圧着固定していく際、この圧着固定も強固にしてスピーディーに行える一層優れた吊子を提供することも目的としている。
【課題を解決するための手段】
【０００９】
添付図面を参照して本発明の要旨を説明する。
【００１０】
金属板を折曲形成して水平板部１と立設板部２とが直角に連設し（もちろん完全な直角のみならず略直角な場合も含む意味である。）、この立設板部２の上端部に屋根材３に係止する係止折曲部４を連設した吊子であって、前記水平板部１の中央部に凹設部５を設けて、この凹設部５の底部に取付部10に載置固定する取付用水平板部６を形成すると共に、この取付用水平板部６より高い左右にこの取付用水平板部６及び前記立設板部２に連設する屋根材受用水平板部７を形成し、この取付用水平板部６に設けた取付孔８に貫通する取付ボルト９若しくはこの取付ボルト９に螺着するナット11の締付固定状態の位置よりも前記屋根材受用水平板部７の位置が高く屋根材３が荷重を受けたときこれを受支承する高さ位置となるように前記水平板部１の中央部に凹設して前記屋根材受用水平板部７を一体成形したことを特徴とする吊子に係るものである。
【００１１】
また、母材となる金属板を１.２ｍｍより厚くして、沿設付設する補強具を用いない前記一枚の金属板で形成した構成とし、前記立設板部２に前記水平板部１を折曲形成する際に、この水平板部１の中央部を凹設して前記立設板部２に前記取付用水平板部６と前記屋根材受用水平板部７とを一体成形したことを特徴とする請求項１記載の吊子に係るものである。
【００１２】
また、前記立設板部２の上端部を折曲してこの立設板部２の上端幅に等しい板状の前記係止折曲部４を形成し、この係止折曲部４の中間部に、この係止折曲部４に係止する前記屋根材３の端部を挟持して圧着固定する際挟持変形境界部となる境界用切欠部12を設けたことを特徴とする請求項１，２のいずれか１項に記載の吊子に係るものである。
【発明の効果】
【００１３】
本発明は上述のように構成したから、金属板の成形にあって水平板部を凹設するだけで、部品点数が増えず特別な製作工程も不要にしてこの金属板の成形による水平板部の凹設部の底部をこれまでの取付用水平板部として形成すると共に、その左右に屋根材受用水平板部を一体成形でき、しかもこの凹設部の深さ設定によって底部の取付用水平板部より一段高い左右位置に確実に屋根材を受支承する機能を果たす屋根材受用水平板部を設けることができ、且つこの取付用水平板部の取付孔に例えば取付ボルトを挿通してナットで締め付け螺着してもこれらが左右の屋根材受用水平板部より上方へ突出せず凹設部がこれの収納部となり、屋根材に積雪などの荷重が加わっても確実にこれを受け止め、強度が高く耐久性が向上した屋根となる吊子となり、別部品を用いることなく吊子成形時に水平板部を凹設することで実現できる簡易な構成で製作容易で量産性に優れた画期的な吊子となる。
【００１４】
また、請求項２記載の発明においては、一層簡易な構成で製作が容易で量産性に優れ一層優れた吊子となる。
【００１５】
また、請求項３記載の発明においては、従来の１.２ｍｍ厚の金属板よりやや厚い金属材を母材に用いこれを成形して一枚の金属板で形成したから、補強具を沿設付設することなく強度を上げることができ、それでいて係止折曲部に係止した屋根材の端部を挟持して屋根材を圧着固定していく際、この圧着固定も強固にしてスピーディーに行える一層優れた吊子となる。
【図面の簡単な説明】
【００１６】
【図１】本実施例の斜視図である。
【図２】本実施例の正面図である。
【図３】本実施例の裏側下方から見た斜視図である。
【図４】本実施例の背面図である。
【図５】本実施例の図３のＡ−Ａ線断面図である。
【図６】本実施例の使用状態を示す説明斜視図である。
【図７】本実施例の使用状態の説明断面図１である。
【図８】本実施例の使用状態の説明断面図２である。
【図９】本実施例の吊子の係止折曲部と屋根材とを挟持して圧着固定することを示す説明断面図である。
【発明を実施するための形態】
【００１７】
好適と考える本発明の実施形態（発明をどのように実施するか）を、図面に基づいて本発明の作用を示して簡単に説明する。
【００１８】
例えば立設板部２の上端部に曲げ加工によって係止折曲部４を折曲形成すると共に、この立設板部２の下部に直角にして水平板部１を折曲形成する際、型によるプレス成形によって折曲した水平板部１の中央部を凹設して、凹設部５を形成した水平板部１を立設板部２の下部に連設形成する。即ちこの水平板部１の中央部に凹設部５を形成することで、立設板部２に取付用水平板部６と屋根材受用水平板部７とを一体成形する。
【００１９】
言い換えれば、立設板部２に水平板部１を一体成形する際に水平板部１の中央部に凹設部５を形成し、この凹設部５の底部を取付用水平板部６とし、この取付用水平板部６の左右の一段高い位置に屋根材受用水平板部７を一体成形する。
【００２０】
従って、一枚の金属板を成形することで取付用水平板部６の左右に一段高い屋根材受用水平板部７を形成でき、これにより前記屋根材３の積雪などの荷重負荷に耐え強度アップが図られ耐久性に優れた屋根を構築できる吊子を提供できることとなり、言い換えるとこのような左右に屋根材受用水平板部７を有しながらも一枚の金属板の成形によって実現でき、簡易な構成で製作容易で量産性に優れた吊子となる。
【００２１】
また、例えば従来の母材となる金属板は、厚み１.２ｍｍのステンレス材が用いられていたが、この厚みを例えば１.６ｍｍなど少し厚くし、また必要に応じて補強リブ13を形成することで強度アップを図ることもできる構成で、他の補強部品や補強板（補強具）を沿設付設しなくてもこの一枚の金属板で実現できる。
【００２２】
また、このような一枚の金属板の成形によって屋根材受用水平板部７を有する吊子を実現できるが、前述のように従来より少し厚い金属板を母材として用いることが望ましい。この際一体折曲形成される係止折曲部４も肉厚となり、これに引っ掛け係止して圧着固定する屋根材の圧着強度が不十分となったり、幅広い吊子の場合は、左右二回に分けて挟持圧着する際十分な挟持力を与えきれずに圧着強度が十分でなくなるおそれもあるが、例えば係止折曲部４の中間部に境界用切欠部12を設けることでこの左右を夫々挟持圧着する際、この境界用切欠部12を境とした各側の係止折曲部４が良好に折り込み可能となっているため、各挟持圧着がたとえ金属板が厚かったり係止折曲部４が幅広くて二回に分けての圧着であっても、各片側での挟持圧着が良好に行われ、強固に圧着固定できることとなる。
【００２３】
従って、圧着強度が不十分となったり、何度も何度も挟持圧着を繰り返したり、強力な特別な挟持工具を用いるなどしなくても効率良くスピーディーにこの圧着固定作業も行えることとなる。
【実施例】
【００２４】
本発明の具体的な実施例について図面に基づいて説明する。
【００２５】
本実施例は従来の１.２ｍｍ厚より少し厚い１.６ｍｍ厚のステンレス材を折曲形成して水平板部１と立設板部２とが略直角に連設し、この立設板部２の上端部幅いっぱいに屋根材３に係止する係止折曲部４を連設した吊子であって、立設板部２の上端部に予め係止折曲部４を折曲加工によって形成し、この立設板部２の下端部に水平板部１を直角に折り曲げ形成する際、このプレス成形によって、この水平板部１の中央部を凹設して凹設部５を設けて、この凹設部５の底部に、タイトフレーム14の頂部段差部に設けた取付部10に載置固定する取付用水平板部６を形成すると共に、この取付用水平板部６より一段高い左右に、この取付用水平板部６及び前記立設板部２に連設し且つ折版屋根材３を下方から支承する機能を果たす屋根材受用水平板部７を形成している。
【００２６】
具体的には、この取付用水平板部６に設けた取付孔８に貫通する取付ボルト９にナット11を締め付け螺着してタイトフレーム14の頂部の取付部10に載置して立設状態に取り付けるが、この締め付け時の取付ボルト９の先端やナット11の締付位置よりも前記屋根材受用水平板部７の位置が高く凹設部５がボルト収納部として機能して屋根材３が荷重を受けたとき取付ボルト９が邪魔をせずに折版屋根材３を確実に受支承する高さ位置となるように、水平板部１の中央部を凹設して屋根材受用水平板部７を一体成形している。
【００２７】
即ち、本実施例の吊子は母材となる金属板を１.２ｍｍより厚くして、沿設付設する補強具を用いない前記一枚の金属板で形成した構成とし、前記立設板部２に前記水平板部１を折曲形成する際に、この水平板部１の中央部を凹設して前記立設板部２に前記取付用水平板部６と前記屋根材受用水平板部７とを一体成形している。
【００２８】
また本実施例では、前記立設板部２の上端部を折曲してこの立設板部２の上端幅に等しい板状の前記係止折曲部４を一体形成し、この係止折曲部４の中間部に、この係止折曲部４に係止した前記折版屋根材３を現場で使用する手持ち式の挟持工具で挟持圧着する際、挟持変形境界部となる境界用切欠部12を設けている。
【００２９】
本実施例のこの係止折曲部４は、立設板部２の上端部を一旦水平に折曲し、この先端縁を更に下方へ折り返してフック状の係止折曲部４とし、この係止折曲部４の上下に引っ掛け状態に重合するようにして左右の折版屋根材３の端部を重合し、この重合部を上下から前記挟持具で挟持して圧着する際、この係止折曲部４の先端部の下方への折り返し部４Ｂが水平基端部４Ａと重合するように折り返される構成としている。
【００３０】
そしてこの係止折曲部４に前述のようにこの折り返し部４Ｂの挟持圧着時の折り込みが良好となって左右二回に分ける挟持圧着が良好となるように境界用切欠部12を設けている。
【００３１】
即ち、係止折曲部４の先端部の折り返し部の中央部にこの折り返し部４Ｂの根本部を超えて水平基端部４Ａにまで切り込んだ境界用切欠部12を形成している。
【００３２】
従って、前述のように従来より少し厚い金属板を母材として用いることで係止折曲部４も肉厚となり、これに引っ掛け係止して圧着固定する屋根材３の圧着強度が不十分となったり、幅広い吊子の場合は、左右二回に分けて挟持圧着する際十分な挟持力を与えきれずに圧着強度が十分でなくなるおそれもあるが、本実施例ではこのように係止折曲部４の中間部に境界用切欠部12を設けることで、この左右を夫々挟持圧着する際、この境界用切欠部12を境とした各側の係止折曲部４が良好に折り込み可能となっているため、各挟持圧着がたとえ金属板が厚かったり係止折曲部４が幅広くて二回に分けての圧着であっても各片側での挟持圧着が良好に行われ、強固に圧着固定できることとなる。
【００３３】
従って、圧着強度が不十分となったり、何度も何度も挟持圧着を繰り返したり、強力な特別な挟持工具を用いるなどしなくても手持ちの挟持工具で効率良くスピーディーにこの圧着固定作業も行えることとなる。
【００３４】
尚、本発明は、本実施例に限られるものではなく、各構成要件の具体的構成は適宜設計し得るものである。
【符号の説明】
【００３５】
１  水平板部
２  立設板部
３  屋根材（折版屋根材）
４  係止折曲部
５  凹設部
６  取付用水平板部
７  屋根材受用水平板部
８  取付孔
９  取付ボルト
10  取付部
11  ナット
12  境界用切欠部
【図１】
2010185255.tif 000003
【図２】
2010185255.tif 000004
【図３】
2010185255.tif 000005
【図４】
2010185255.tif 000006
【図５】
2010185255.tif 000007
【図６】
2010185255.tif 000008
【図７】
2010185255.tif 000009
【図８】
2010185255.tif 000010
【図９】
2010185255.tif 000011